(57)【要約】      （修正有）【課題】火災発生時にハンドル（栓体）が固着して回動不能になったり、回動するのに大きな力を必要とするようになることを防止して安全性を高め、かつ防水性に優れたガス栓を提供する。【解決手段】逆円錐形状のテーパー穴内に組み付けられたガス栓本体１の上口５の外周とハンドル８の裾縁１８の内周面間に四角形状の防水パッキン室２０を形成し、ここに３点で密着する防水パッキン１６を挿入してシール性能を高める。ハンドル側およびガス栓本体側においてそれぞれ３点で密着し、合計６点で密着するシール構造にしてもよい。【選択図】図１
2006317005.tif 000002
【特許請求の範囲】
【請求項１】
ガス栓本体に形成された逆円錐形状のテーパー穴内に組み付けられた栓体をハンドルで開閉する方式のガス栓であって、前記栓体とハンドル間にスプリングを介装し、常時このスプリングの力で栓体をテーパー穴の摺動面に密着するように構成したガス栓において、ガス栓本体の上口の外周面にＬ型の段部を形成すると共に、この段部に外側から対向するようにハンドルの裾縁の内周面に逆Ｌ型の切欠部を形成し、この段部と切欠部によりガス栓本体の上口とハンドルの裾縁間に四角形状のパッキン室を形成し、このパッキン室内には、内周面中央に凹部を形成し、外周面中央に凸部を形成した防水パッキンが挿入されていて、ハンドルをガス栓に組み付けた状態において、防水パッキンの上面はパッキン室の上面に密着し、下面はパッキン室の下面に密着し、外周面の凸部はハンドル側の裾縁の内周面に密着した３点シール構造となっていること、を特徴とするガス栓。
【請求項２】
ガス栓本体に形成された逆円錐形状のテーパー穴内に組み付けられた栓体をハンドルで開閉する方式のガス栓であって、前記栓体とハンドル間にスプリングを介装し、常時このスプリングの力で栓体をテーパー穴の摺動面に密着するように構成したガス栓において、ガス栓本体の上口の外周面にＬ型の段部を形成すると共にこの段部に外側から対向するようにハンドルの裾縁の内周面に逆Ｌ型の切欠部を形成し、この段部と切欠部によりガス栓本体の上口とハンドルの裾縁間に四角形状のパッキン室を形成し、このパッキン室内には、内周面中央に凹部を形成し、外周面中央に凸部を形成した防水パッキンが挿入されていて、ハンドルをガス栓に組み付けた状態において、防水パッキンの上面はパッキン室の上面及び面取り部に密着し、内周面は上口の外周面に２点で密着すると共に下面はパッキン室の下面に密着し、外周面の凸部はハンドル側の裾縁の内周面に密着することによって、ハンドル側及びガス栓本体側において夫々３点で密着し、合計６点シール構造となっていること、を特徴とするガス栓。
【請求項３】
請求項１又は２のガス栓において、前記防水パッキンの上下面を平滑に形成したことを特徴とするガス栓。
【発明の詳細な説明】
【技術分野】
【０００１】
本発明は、火災発生時にハンドル（栓体）が固着して回動不能になったり、回動するのに大きな力を必要とするようになるのを防止して安全性を高め、且つ防水性に優れたガス栓に関する。
【背景技術】
【０００２】
ガス配管あるいはガス器具等に用いられているガス栓は、火災発生時には高温に晒され、熱歪みが発生してシール性能が低下したり、炭化した潤滑材等が摺動面に固着してハンドルの開閉が出来なくなることがある。そこで、従来のガス栓の場合、このような火災時等を考慮して、融点の高い鋳鉄製のものが使用されている。
【０００３】
しかし、ガス栓が８００℃以上の高温に晒されると、ガス栓本体と栓体との摺動面にはシール性能を高め、潤滑性を良くするために、グリース等の潤滑材が塗布してあることから、この潤滑材が熱で炭化し、併せて栓体にはスプリングの力により密着方向に圧力が作用しているため、前記炭化とスプリングの力でハンドルは回動不能になるか、回動するために大きな力が必要となり、開いていたガス栓を緊急に閉じてガスを遮断することができなくなる。そこで、ガス栓の火災対策例として、次のような発明の公知例がある。
【０００４】
【特許文献１】特開平７−０３５２５４号公報
【０００５】
この発明は、火災時等周囲が高温状態のとき、ガスコックの閉止作業を人手によらずに自動的に行うために、ガスコック本体１０内に栓体２１を閉止状態にするように付勢された回動スプリング５０を内蔵した回動筒４３を本体外部から挿入された低融点金属チップ７２を含む感熱性係止手段７０によって係止し、栓体２１は回動筒内に嵌合された回動軸３０を介して開閉操作が可能で、係止手段７０が作動して回動筒がスプリング５０によって回動すると回動軸３０に軸着した回動板６０が所定位置に固定されて栓体を常に閉止状態に保つように構成したものである。
しかし、この発明は、火災が発生した時に、開放しているガス栓を自動的に閉止すると云うもので、これも火災時の安全対策となるが、低融点金属チップ７２あるいは回動スプリング５０を組み付ける必要があり、コスト的に不利である。また、既設のガス栓に対して低融点チップ７２や回動スプリング５０を組み込むことはできないため、この発明は新規に製作するガス栓にのみ適用ができ、既設のものには適用できない。
【０００６】
次に、ガス栓であって、例えば屋外に設置される元栓と称されるもの、或いは水を多く使う工場とかの厨房の場合、雨や水が内部に侵入してトラブルになることがあるため、防水対策を施したガス栓の提案がある。
【０００７】
【特許文献２】特開平１０−３３２０００号公報
【０００８】
この発明は、ガス栓本体１の円周溝７内にプレート９を組み込み、ハンドル５は樹脂で一体成形し、この回転部５ａと密閉部５ｂをガス栓本体１の上口４の外周面４ａ及びシール面４ｂに密着させることで軽量化とコストの低減及び雨水の浸入防止を図り、また、プレート９一枚で９０°の範囲での閉子１ａの開閉を行うことにより、ハンドル５方向の小型化を図ると共に、ロックネジ１９にＯリング２１を取り付けることにより、防水性を高めたものである。
【０００９】
【特許文献３】特開２０００−３２９２５１号公報
【００１０】
この発明は、ガス栓において、製作コストの低減と防水性の強化を図るために、ガス栓本体１側の切欠部８、８ａとガイド鍔９、９ａ及びシール材収容溝７を鋳造時に一体成形し、ハンドル１３側には係合鍔１４、１４ａを形成してこの係合鍔１４、１４ａが前記ガイド鍔９、９ａ内に係合して外れるのを防止し、併せて回転をガイドするようになし、更に、ハンドル１３側から鉛直方向にストッパーピン２１を組み込み、このストッパーピン２１でハンドル１３の回転規制とロックができるようになし、更に、ストッパーピン組込穴１８には、ストッパーピン２１以外に、シール穴２４ａ′付の封印部材２４をねじ込んで封印とシール（防水）を行う構成である。
【００１１】
【特許文献４】特開２００２−０３９４０３号公報
【００１２】
この発明は、ガス栓の開閉操作時の操作力が増大されることなく、ガス栓本体１内への水の浸入を防止することを目的として、筒部１０の上端部には、その開放端全域を被覆すると共に前記操作軸４０を非接触に挿通させる開口５１が上面板の中央に設けられた弾性合成樹脂製のキャップ５が外嵌され、前記キャップ５の上側には、前記開口５１よりも大きな外径を有する蓋材５０が前記操作軸４０の外周に密に外嵌されると共に前記キャップ５の上面板とは所定の弾性力で摺動可能に重ね合わせた構成である。
【発明の開示】
【発明が解決しようとする課題】
【００１３】
特許文献２の発明の場合、防水のために外周面４ａ及びシール面４ｂを加工する必要があり、加工に手間とコストがかかる。
特許文献３の発明においては、シール穴２４ａ´付の封印部材２４を加工し、これを本体１にねじ込んだりするために、構造が複雑化し、コストもかかる。
特許文献４の発明の場合、キャップ５及びこのキャップ５を外嵌したりするための加工と組み立てに手数がかかり、コスト高となる。
その他、断面倒Ｖ字状のパッキンを本体とハンドル間に組み込んで防水を図る提案もあるが、この場合、パッキンは上下２点でシールを行う構造のために、ハンドルの開閉の頻度が高かったり、経年的な劣化により、密着力が減退してシール性能が低下すると云う問題がある。
本発明は、斯る点に鑑みて提案されるものであって、その目的は、防水性能に優れたガス栓を提供することである。
【課題を解決するための手段】
【００１４】
前記の目的を達成するために、本発明の第１の態様は、ガス栓本体に形成された逆円錐形状のテーパー穴内に組み付けられた栓体をハンドルで開閉する方式のガス栓であって、前記栓体とハンドル間にスプリングを介装し、常時このスプリングの力で栓体をテーパー穴の摺動面に密着するように構成したガス栓において、ガス栓本体の上口の外周面にＬ型の段部を形成すると共に、この段部に外側から対向するようにハンドルの裾縁の内周面に逆Ｌ型の切欠部を形成し、この段部と切欠部によりガス栓本体の上口とハンドルの裾縁間に四角形状のパッキン室を形成し、このパッキン室内には、内周面中央に凹部を形成し、外周面中央に凸部を形成した防水パッキンが挿入されていて、ハンドルをガス栓に組み付けた状態において、防水パッキンの上面はパッキン室の上面に密着し、下面はパッキン室の下面に密着し、外周面の凸部はハンドル側の裾縁の内周面に密着した３点シール構造となっていること、を特徴としている。
前記の目的を達成するために、本発明の第２の態様は、 ガス栓本体に形成された逆円錐形状のテーパー穴内に組み付けられた栓体をハンドルで開閉する方式のガス栓であって、前記栓体とハンドル間にスプリングを介装し、常時このスプリングの力で栓体をテーパー穴の摺動面に密着するように構成したガス栓において、ガス栓本体の上口の外周面にＬ型の段部を形成すると共にこの段部に外側から対向するようにハンドルの裾縁の内周面に逆Ｌ型の切欠部を形成し、この段部と切欠部によりガス栓本体の上口とハンドルの裾縁間に四角形状のパッキン室を形成し、このパッキン室内には、内周面中央に凹部を形成し、外周面中央に凸部を形成した防水パッキンが挿入されていて、ハンドルをガス栓に組み付けた状態において、防水パッキンの上面はパッキン室の上面及び面取り部に密着し、内周面は上口の外周面に２点で密着すると共に下面はパッキン室の下面に密着し、外周面の凸部はハンドル側の裾縁の内周面に密着することによって、ハンドル側及びガス栓本体側において夫々３点で密着し、合計６点シール構造となっていること、を特徴としている。
本発明の第１、第２の態様においては、前記防水パッキンの上下面を平滑に形成することが望ましい。
【発明の効果】
【００１５】
上記特徴構成を有する本発明によれば、防水パッキンをガス栓本体の上口の外周面とハンドルの裾縁の間に挿入したことにより、内部に侵入しようとする水はこの入り口の部分で遮断されると共に防水パッキンは、上下面と外周面の３点でガス栓本体とハンドルに密着する。
また、防水パッキンは、ガス栓本体に対してハンドルを締め込むことにより圧迫され、この圧迫により外周面がより外側に膨出することから、密着度が高まる。
【発明を実施するための最良の形態】
【００１６】
以下、本発明を実施するための最良の形態を、図面を参照して説明する。
図１〜図３は、この発明に係るガス栓の一実施の形態を示すものであり、図１はガス栓の断面図、図２は図１のＡ−Ａ´線断面図、図３（Ａ）は熱膨張材が膨張する前（通常時）の説明図、（Ｂ）は熱膨張材が膨張し、栓体を浮上させた状態（火災時）の説明図である。まず、火災発生時に、熱膨張材の膨張作用で栓体を浮上させて固着を防ぐためのガス栓の構造を説明する。
【００１７】
この図１〜３において、符号の１はガス栓本体であって、このガス栓本体１には水平方向に貫通するガス流路２と、このガス流路２の左右の入口にガス配管接続口３、３ａが形成され、更に、このガス流路２に直交するように逆円錐形状のテーパー穴４が形成されていると共にこのテーパー穴４の上部には上口５が形成されていて、この上口５からテーパー穴４に栓体６を組み込み、更に上口５の内周面には円周鍔７を形成し、この円周鍔７に係合する係合縁９を介してハンドル８を取り付け、このハンドル８の下面８ａに形成した係合部１０に栓体６の回転子１１を係合させることにより、ハンドル８を摘んで回転すると一緒に栓体６が回転（開閉）する構造となっている。
【００１８】
符号の１３は前記栓体６とハンドル８間に装入されたスプリングであって、このスプリング１３は、栓体６をテーパー穴４内において下方に押圧し、テーパー穴４の摺動面４ａと栓体６の摺動面６ａをグリース等の潤滑材を介して密着させている。
１４はハンドル８に取り付けられたストッパーねじであって、このストッパーねじ１４の先端は上口５の上縁を１８０°切り欠いて形成した回転角１５内に位置し、１８０°の部分で栓体６は全閉、９０°つまり中間の位置で全開となるようにハンドル８の回転を規制している。
【００１９】
１６はガス栓本体１の上口５の外周面に形成したＬ型の段部１７と、ハンドル８の裾縁１８の下端内周面に形成した倒Ｌ字状の切欠部１９で形成された四角形状のパッキン室２０内に挿入された防水パッキンである。
２１は栓体６の下面６ｂに形成された熱膨張材組込穴２２内にケース２３を用いて組み込まれた熱膨張材である。
この熱膨張材２１は、現在防火区画措置具等に使用されている市販のもので十分あり、例えば熱膨張黒鉛あるいは熱膨張ゴム等として市販されているものを使用することができる。
【００２０】
なお、この熱膨張材２１は、図１、図２の組み込み例以外に、図４に示すように、栓体６の底面６ｂに直接取り付けても良く、あるいは図５に示すように、テーパー穴４の底部４ｂと栓体６の底面６ｂ間の間隙２５内に装入しても良く、あるいは図６に示すように、テーパー穴４の底部４ｂ側に組み込んでも良い。
あるいは図７（Ａ）（Ｂ）に示すように、ガス流路２のガス管接続口３、３ａが９０°方向を向くように形成されたガス栓においては、テーパー穴４と栓体６間に対向させて段部４ｄ、６ｄを形成し、この間に熱膨張材２１を組み込んでも良い。
【００２１】
上記構成のガス栓においては、栓体６の底面６ｂとテーパー穴４の底部４ｂ間に熱膨張材２１を組み込んだことにより、火災が発生した際、この熱で熱膨張材２１が図３（Ａ）から（Ｂ）に示すように熱膨張し、この膨張力によりスプリング１３に抗して栓体６をテーパー穴４内において浮上させ、摺動面４ａと６ａ間に隙間Ｗを形成する。この結果、摺動面４ａと６ａ間に塗布された潤滑材が炭化し、固化しても、摺動面４ａ、６ａ間に固着しない。
【００２２】
なお、このように栓体６が浮上するためには、図３（Ａ）に示すように、栓体６の上面６ｃとハンドル８側の下面８ａ間に隙間ｈを設けておくことが必要であり、また、熱膨張材２１の熱膨張の作用で、栓体６があまり浮上しないように、つまり摺動面の隙間Ｗが大きくなり過ぎないように、浮上制限凸部２４を形成しておく。このようにして栓体６の浮上を制限すると、図３（Ｂ）に示すように栓体６が浮上したときに、隙間Ｗが大きくなり過ぎてガスが大量にリークする危惧を解消できる。
【実験例１】
【００２３】
次に、この発明の実験例を説明する。
図８に示す試験体１００に組み込まれているスプリング１３の取付荷重は５．４７ｋｇｆであり、この荷重以上の力が熱膨張材２１の膨張力に求められる。そこで、図８（Ａ）に示すスプリング１３付の試験体１００を製作し、（Ｂ）の状態で４００℃及び６００℃の加熱を行い、熱膨張材２１をＨ膨張させ、この時の膨張力を測定したところ、４００℃で７．６ｋｇｆ、６００℃で８．８ｋｇｆの荷重が得られた。この荷重は、スプリングの荷重５．４７ｋｇｆよりも十分に大きく、火災時に十分に機能することが確認できた。この時の測定結果を表１に示す。
【表１】
2006317005.tif 000003
【実験例２】
【００２４】
図９はスプリング１３の取付荷重を２．１４ｋｇｆ設定し、この時に必要となる栓体６の浮上荷重をガス栓本体１の底部に形成した穴１ａからスピンドル２６を挿入し、この時の押し上げ荷重を測定した時の測定図である。この時の浮上荷重は６ｋｇｆであった。
【実験例３】
【００２５】
図１０は栓体６の底面６ｂとテーパー穴４の底部４ｂ間に熱膨張材２１を装入し、８００℃の炉中で３０分間放置した実験例である。３０分後、すみやかに回転力を測定したところ、２０ｋｇｆ・ｃｍで回転し、この値は、普通のモンキ、スパナ等で回転できる値である。
一方、熱膨張材２１を装入しないガス栓を同一条件で実験したところ、２００ｋｇｆ・ｃｍの力でも回転しなかった。
以上の実験例からも、本発明を実施することにより、火災発生時において、ガス栓を簡単に閉止できることが確認できた。
【００２６】
次に、上記ガス栓のうちのこの発明に係る構成を図１１〜図１４に基づいて詳細に説明する。
図１１は防水パッキン１６の平面部、図１２は正面図、図１３はＣ−Ｃ´線拡大断面図であって、この防水パッキン１６は上下面１６ａ、１６ｂは平滑で、内周面に凹部１６ｄを形成し、外周面に凸部１６ｃを形成した構成である。図１４（Ａ）は防水パッキン１６を組み込んだ状態、（Ｂ）はハンドル８をガス栓本体１に締め付けることにより、防水パッキン１６が変形し、パッキン室２０内において、防水パッキン１６はハンドル８の裾縁１８側にはａ、ｂ、ｃの３点で密着し、ガス栓本体１側にはｄ、ｅ、ｆの３点で密着し、合計６点での密着となることから、ガス栓本体１の上口５ａとハンドル８の裾縁１８間を完全に防水する。
よって、上記６点シールにより、シール性能は従来例に比較して格段に向上する。
【図面の簡単な説明】
【００２７】
【図１】この発明に係るガス栓の断面図である。
【図２】図１のＡ−Ａ´線断面図である。
【図３】図３（Ａ）は通常時のガス栓の説明図であり、図３（Ｂ）は熱膨張材が熱膨張した時の説明図である。
【図４】熱膨張材の組み込み例の説明図である。
【図５】熱膨張材の組み込み例の説明図である。
【図６】熱膨張材の組み込み例の説明図である。
【図７】図７（Ａ）はガス管接続口が９０°方向に向いているガス栓を示す断面図であり、図７（Ｂ）は図７（Ａ）のＢ−Ｂ´線断面図である。
【図８】図８（Ａ）乃至（Ｃ）は、スプリングの荷重試験体の説明図である。
【図９】スプリングの取付荷重の試験例の説明図である。
【図１０】固着試験の説明図である。
【図１１】本発明に係る防水パッキンの平面図である。
【図１２】同防水パッキンの正面図である。
【図１３】図１１のＣ−Ｃ´線断面図である。
【図１４】図１４（Ａ）はハンドル締め付け前の防水パッキンの状態を説明するための断面図であり、図１４（Ｂ）は締め付け後の防水パッキンの状態を説明するための断面図である。
【符号の説明】
【００２８】
１  ガス栓本体
４  テーパー穴
６  栓体
８  ハンドル
１３  スプリング
１６  防水パッキン
【図１】
2006317005.tif 000004
【図２】
2006317005.tif 000005
【図３】
2006317005.tif 000006
【図４】
2006317005.tif 000007
【図５】
2006317005.tif 000008
【図６】
2006317005.tif 000009
【図７】
2006317005.tif 000010
【図８】
2006317005.tif 000011
【図９】
2006317005.tif 000012
【図１０】
2006317005.tif 000013
【図１１】
2006317005.tif 000014
【図１２】
2006317005.tif 000015
【図１３】
2006317005.tif 000016
【図１４】
2006317005.tif 000017